(57)【特許請求の範囲】
【請求項１】
前後一対の針床を備える横編機で終端部に続くベース編地を途中部分まで編成した後、
該ベース編地の編成に使用する編糸とは異なる編糸で、該ベース編地の編目となるベース編目を係止する編針でのタック編成と、該編針が属する針床に対向する針床に属して編目を係止していない空き針への空針ニットでの掛け目によるニットループ形成、または該掛け目へのニット編成によるニットループ形成とを行い、
該ニットループを編針で係止しながら該途中部分に続くベース編地を終端部まで編成し、
該途中部分から該終端部までのベース編地を折返して、該終端部のベース編目に対し該ニットループを利用する伏目処理で接合する、編地終端部のパイピング処理方法において、
伏目処理を、
該終端部の編目の一つとなるベース編目に対応するように形成される伏目ループを、該終端部のベース編目に対向して該ニットループを係止する編針が属する針床の空き針に目移しし、該伏目ループの渡り糸がニットループの渡り糸に対して上側交差した状態で係止させる伏目ループ係止工程と、
該終端部のベース編目のうち、該伏目ループにより接合すべきベース編目を、目移しされた該伏目ループを係止する針床に目移しし、該ベース編目の渡り糸がニットループの渡り糸に対して上側交差した状態で係止させるベース編目係止工程と、
該伏目ループと接合すべきニットループを、対向する針床の空き針に目移しし、該ニットループの渡り糸が、伏目ループ係止工程で目移しした該伏目ループの渡り糸に対して、上側交差させた状態で係止させるニットループ係止工程と、
ニットループ係止工程で目移ししたニットループを係止する編針に、ベース編目係止工程で係止したベース編目、および伏目ループ係止工程で係止した伏目ループを目移しして順に重ね、伏目ループ係止工程で伏目ループを形成した終端部のベース編目と、ベース編目係止工程で目移しする終端部のベース編目とを伏目ループで連結しながら、該終端部をベース編地の該途中部分に接合する伏目ループ接合工程とを、
含むように、繰返し行うことを特徴とする編地終端部のパイピング処理方法。
【請求項２】
前記伏目ループは、弾性糸を用いて編成することを特徴とする請求項１記載の編地終端部のパイピング処理方法。
【請求項３】
前記伏目処理を、
前記伏目ループ係止工程、前記ベース編目係止工程、前記ニットループ係止工程、および前記伏目ループ接合工程による前記ベース編目、前記ニットループおよび前記伏目ループで三目の重ね目形成と、
ベース編目に対し伏目ループを目移しして重ねた二目の重ね目形成、または伏目ループに対しベース編目を目移しして重ねた二目の重ね目形成とを、
交互に繰返して行うことを特徴とする請求項１または２記載の編地終端部のパイピング処理方法。
【請求項４】
前記ベース編地を、前記前後一対の針床を使用して、筒状編地として編成することを特徴とする請求項３記載の編地終端部のパイピング処理方法。
【発明の詳細な説明】
【技術分野】
【０００１】
本発明は、横編機で編成する編地の終端部を、折返して編地の途中に接合する編地終端部のパイピング処理方法に関する。
【背景技術】
【０００２】
従来から、手袋や靴下、パンツの開口部や、衣服の衿などで、編地の終端部を折返して、厚みのあるしっかりした状態にさせるために、パイピング処理が行われている。一般的なパイピング処理では、編地終端部を熱収縮糸で編成し、後工程として、編成後に熱を加えて固着させて解れ止めとし、すくい縫いミシンで、編地終端部を、終端部に続く編地の途中に接合する。このような後工程は、少なくとも前後一対の針床を備える横編機を用いれば、不要にすることができる（たとえば、特許文献１参照）。
【０００３】
図６は、特許文献１に開示されているパイピング処理方法を適用した編目構造を模式的に示す。折返す部分を含むベース編地を終端部付近まで編成する途中で、ベース編目１ａへのタック２ａと、掛け目となる空き針へのニットループ２ｂとを交互に形成しておく。残りのベース編地を終端のベース編目１ｂまで編成する間、ニットループ２ｂには、さらにニットの編目を追加することがある。終端のベース編目１ｂとニットループ２ｂとの重ね目に対して、伏目を形成するためのニット編成が行われ、新たに形成された編目が隣接する重ね目に重ねられて伏目ループ３が形成される。重ね目に対して伏目ループ３が重ねられた状態に対して、新たなニット編成を行うことを繰返すような伏目処理で、ベース編地の終端部がベース編地の途中部分に接合されて、パイピング処理が達成される。
【先行技術文献】
【特許文献】
【０００４】
【特許文献１】特許第２６１０２０８号公報
【発明の概要】
【発明が解決しようとする課題】
【０００５】
前後に針床を備える横編機で編成する手袋は、前後の針床でそれぞれ編成する平編地が編幅の両端で連続する筒状の編地となる。図６に示すような編目構造では、ベース編地が平編地となるので、伏目ループ３で繋がると、ベース編地が反ることで、多少の膨らみが生じてしまう。また、伏目ループ３は、ベース編地の外側に連続して配置されてしまう。手袋では、伏目処理による接合部が内部に隠れるため、見栄えを損うおそれはないが、着用した際に、肌に直接触れる接合部には膨らみが生じないことが要望される。
【０００６】
本発明の目的は、伏目処理でも膨らみが生じにくくすることが可能な、編地終端部のパイピング処理方法を提供することである。
【課題を解決するための手段】
【０００７】
本発明は、前後一対の針床を備える横編機で終端部に続くベース編地を途中部分まで編成した後、
該ベース編地の編成に使用する編糸とは異なる編糸で、該ベース編地の編目となるベース編目を係止する編針でのタック編成と、該編針が属する針床に対向する針床に属して編目を係止していない空き針への空針ニットでの掛け目によるニットループ形成、または該掛け目へのニット編成によるニットループ形成とを行い、
該ニットループを編針で係止しながら該途中部分に続くベース編地を終端部まで編成し、
該途中部分から該終端部までのベース編地を折返して、該終端部のベース編目に対し該ニットループを利用する伏目処理で接合する、編地終端部のパイピング処理方法において、
伏目処理を、
該終端部の編目の一つとなるベース編目に対応するように形成される伏目ループを、該終端部のベース編目に対向して該ニットループを係止する編針が属する針床の空き針に目移しし、該伏目ループの渡り糸がニットループの渡り糸に対して上側交差した状態で係止させる伏目ループ係止工程と、
該終端部のベース編目のうち、該伏目ループにより接合すべきベース編目を、目移しされた該伏目ループを係止する針床に目移しし、該ベース編目の渡り糸がニットループの渡り糸に対して上側交差した状態で係止させるベース編目係止工程と、
該伏目ループと接合すべきニットループを、対向する針床の空き針に目移しし、該ニットループの渡り糸が、伏目ループ係止工程で目移しした該伏目ループの渡り糸に対して、上側交差させた状態で係止させるニットループ係止工程と、
ニットループ係止工程で目移ししたニットループを係止する編針に、ベース編目係止工程で係止したベース編目、および伏目ループ係止工程で係止した伏目ループを目移しして順に重ね、伏目ループ係止工程で伏目ループを形成した終端部のベース編目と、ベース編目係止工程で目移しする終端部のベース編目とを伏目ループで連結しながら、該終端部をベース編地の該途中部分に接合する伏目ループ接合工程とを、
含むように、繰返し行うことを特徴とする編地終端部のパイピング処理方法である。
【０００８】
また本発明で、前記伏目ループは、弾性糸を用いて編成することを特徴とする。
【０００９】
また本発明では、前記伏目処理を、
前記伏目ループ係止工程、前記ベース編目係止工程、前記ニットループ係止工程、および前記伏目ループ接合工程による前記ベース編目、前記ニットループおよび前記伏目ループで三目の重ね目形成と、
ベース編目に対し伏目ループを目移しして重ねた二目の重ね目形成、または伏目ループに対しベース編目を目移しして重ねた二目の重ね目形成とを、
交互に繰返して行うことを特徴とする。
【００１０】
また本発明では、前記ベース編地を、前記前後一対の針床を使用して、筒状編地として編成することを特徴とする。
【発明の効果】
【００１１】
本発明によれば、伏目ループ係止工程、ベース編目係止工程で、伏目ループとベース編目とを対向する針床にそれぞれ目移しし、ニットループ係止工程でニットループも対向する針床に目移しした状態で、ベース編目および伏目ループを順次ニットループに重ねて、伏目処理を行う。各工程では、渡り糸の交差が生じ、伏目ループ接合工程では、伏目ループによる接合と同時に、ニットループへの渡り糸の交差によって、伏目ループが繋がるベース編地の内側に配置されることで、ベース編地の巻きを防ぎ、膨らみを抑えた伏目処理部を形成することができる。
【００１２】
また本発明によれば、伏目ループは、弾性糸を用いて編成するので、伏目処理部に適度な伸縮性を持たせることができる。
【００１３】
また本発明によれば、伏目ループを重ねることによる接合で、２目の重ね目と３目の重ね目とを交互に形成するので、伏目処理部を薄くすることができ、ニットループを係止するための空き針の準備を簡易化することができる。
【００１４】
また本発明によれば、空き針の準備が簡易化されるので、筒状編地で膨らみを抑えた伏目処理を行うことができる。
【図面の簡単な説明】
【００１５】
【図１】図１は、本発明の一実施例としての編地終端部のパイピング処理方法を示す簡略化した編成図の一部である。
【図２】図２は、図１に示す簡略化した編成図の残部である。
【図３】図３は、本発明の他の実施例としての編地終端部のパイピング処理方法を、図１および図２に続く部分で示す簡略化した編成図である。
【図４】図４は、図１〜図３の処理で形成される編目構造を、模式的に示す図である。
【図５】図５は、本発明のさらに他の実施例として、編地終端部のパイピング処理方法の一部を示す簡略化した編成図である。
【図６】図６は、従来からのパイピング処理方法による編目構造を示す図である。
【発明を実施するための形態】
【００１６】
以下、図１〜図５で本発明の三つの実施例を説明する。各実施例の説明では、先に説明した部分に対応する部分には同一の参照符を付し、また、共通な事項についても、重複する説明を省略する場合がある。なお、各図の説明では、当該図面には存在せずに先に説明する図には存在する符号を用いて説明する場合がある。
【００１７】
編地の編成には、前針床および後針床（以下「ＦＢ」および「ＢＢ」とそれぞれ略称する）を、前後一対の針床として備える横編機を使用する。ＦＢとＢＢとは同等であり、以下の説明のＦＢとＢＢとで、役割を置き替えてもよい。
【実施例１】
【００１８】
図１および図２は、本発明の一実施例としての編地終端部のパイピング処理方法で伏目処理を行う基本的な工程を、簡略化して示す。伏目処理を行うまでの編成は、図６で伏目処理を行うまでと同様に行うことができる。
【００１９】
Ｓ１工程の上側は、パイピング処理を行う編地としてのベース編地１１を、終端部まで編成し、終端部のベース編目１１ｘ，１１ａ，１１ｂをＢＢの編針で係止して、さらにベース編目１１ｘに対するニットで伏目ループ１３を形成している状態を示す。ＦＢの編針には、ベース編地１１の編成途中で、ベース編地の編成に使用する編糸とは異なる編糸で、ベース編地の編目となるベース編目を係止する編針でのタック編成と、その編針が属するＢＢに対向するＦＢに属して編目を係止していない空き針への空針ニットでの掛け目でニットループ１２ａ，１２ｂ形成とを行っている。これらのニットループ１２ａ，１２ｂを編針で係止しながら、ベース編地１１は途中部分に続く終端部まで編成される。ベース編地１１は、途中部分から終端部までの途中で折返され、終端部のベース編目１１ｘ，１１ａ，１１ｂに対してニットループ１２ａ，１２ｂを利用する伏目処理で接合する。なお、ニットループ１２ａ，１２ｂは、ニット編成の追加を行ってニットの編目に置き替えてもよい。ニット編成の追加は、折り返すベース編地１１の編成コース数が多い場合の糸切れ等に対して有効である。
【００２０】
伏目処理の開始は、新たな伏目ループ１３となる編目を、ＢＢで係止する終端部の編端のベース編目１１ｘに形成して行う。なお、新たな伏目ループ１３を形成させる前に、伏目用編糸を供給するキャリア１３ａの移動で、掛け目１３ｂを形成しておくことが望ましい。掛け目１３ｂを形成することによって、伏目ループ１３を形成する編糸が引戻されて減少しにくくすることができる。なお、この掛け目１３ｂは、後で払えばよい。
【００２１】
次に、Ｓ１工程の下側で、終端部の編目の一つとなるベース編目１１ｘに対応するように形成される伏目ループ１３は、終端部のベース編目１１ｘ，１１ａ，１１ｂに対向してニットループ１２ａ，１２ｂを係止する編針が属するＦＢの空き針に目移しされる。この目移しによって、伏目ループ１３は、渡り糸１３ｃがニットループ１２ａの渡り糸１２ｃに対して上側で交差した状態で係止される。このようなＳ１の工程は、本発明の伏目処理のうちで、伏目ループ係止工程となる。
【００２２】
次のＳ２工程で、終端部のベース編目１１ｘ，１１ａ，１１ｂのうち、ベース編目１１ｘに隣接し、伏目ループ１３により接合すべきベース編目１１ａは、目移しされた伏目ループ１３を係止するＦＢに目移しされる。ベース編目１１ａは、渡り糸１１ｃがニットループ１２ａの渡り糸１２ｃに対して上側交差した状態で係止される。このようなＳ２の工程は、本発明の伏目処理のうちで、ベース編目係止工程となる。
【００２３】
なお、ベース編目１１ａは、Ｓ１工程で目移しされた伏目ループ１３を係止する編針に目移ししてもよい。特に、編針が複合針で、スライダーを利用するホールディングが可能であれば、同一の編針のフックで伏目ループ１３を係止しながら、スライダーでベース編目１１ａを係止することができる。
【００２４】
次のＳ３工程で、伏目ループ１３と接合すべきニットループ１２ａは、対向するＢＢの空き針に目移しされる。ニットループ１２ａは、伏目ループ係止工程で目移しした伏目ループ１３の渡り糸１３ｃに対して、渡り糸１２ｃが更に上側交差される状態で係止される。このようなＳ３の工程は、本発明の伏目処理のうちで、ニットループ係止工程となる。
【００２５】
次のＳ４工程で、ベース編目係止工程で係止したベース編目１１ａ、および伏目ループ係止工程で係止した伏目ループ１３は、ＦＢからＢＢへ、ニットループ係止工程で目移ししたニットループ１２ａを係止する編針に目移しされ、ニットループ１２ａに順次重ねられ、ニットループ１２ａ、ベース編目１１ａおよび伏目ループ１３による三目の重ね目１５が形成される。これによって、伏目ループ係止工程で伏目ループ１３を形成した終端部のベース編目１１ｘは、ベース編目係止工程で目移しする終端部のベース編目１１ａと、伏目ループ１３で連結され、ニットループ１２ａと接合することで、ベース編地１１の終端部は途中部分に接合される。このようなＳ４の工程は、本発明の伏目処理のうちで、伏目ループ接合工程となる。
【００２６】
以下、Ｓ１からＳ４の工程を含む伏目処理を繰返し行えば、本発明による編地終端部のパイピング処理を達成することができる。各工程では、渡り糸１１ｃ，１２ｃ，１３ｃの交差が生じる。伏目ループ接合工程では、伏目ループ１３による接合と同時に、ニットループ１２ａへの渡り糸の交差によって、伏目ループ１３が繋がるベース編地１１の内側に配置されることで、ベース編地１１の巻きを防ぎ、膨らみを抑えることができる。
【００２７】
なお、伏目ループ１３を編成する編糸を供給するキャリア１３ａからは、編糸として弾性糸を供給することが好ましい。伏目ループ１３を、弾性糸を用いて編成することによって、伏目処理部に適度な伸縮性を持たせることができる。
【実施例２】
【００２８】
図３は、本発明の他の実施例として、編地終端部のパイピング処理方法を示す。本実施例は、図１および図２の実施例と、Ｓ１〜Ｓ４の工程は共通であるので、その記載を省略する。図２のＳ４の工程に続くＳ５の工程では、三目の重ね目１５に対して新たな伏目ループ１３ｄが形成される。伏目ループ１３ｄに先行して、掛け目１３ｅを形成しておくことが好ましい。
【００２９】
次のＳ６の工程で、伏目ループ１３ｄは、一旦ＦＢに目移しされ、ＢＢを右にずらした後、ＦＢからＢＢに目移しされ、ベース編目１１ｂに重ねられて、二目の重ね目１６が形成される。次のＳ７の工程で、二目の重ね目１６に対して新たな伏目ループ１３ｆが形成される。伏目ループ１３ｆに先行して、掛け目１３ｇを形成しておくことが好ましいのは、伏目ループ１３，１３ｄと同様である。ベース編目１１ｂに隣接するベース編目１１ｄを図１のベース編目１１ａに、伏目ループ１３ｆを図１の伏目ループ１３に、それぞれ対応させれば、Ｓ７の工程は図１のＳ１の工程に対応し、以下同様にＳ７の工程までの処理を繰返せば、三目の重ね目１５と二目の重ね目１６とを交互に繰返す伏目処理部２０を得ることができる。二目の重ね目１６にはニットループ１２ｂを含めないので、ニットループ１２ｂを目移しするための空き針を準備する必要が無く、伏目処理を簡易化することができる。
【００３０】
図４は、図１〜３のパイピング処理方法で形成する伏目処理部２０と基本的に同様な編目構造を、模式的に示す。図３に示すような、伏目ループ１３ｄ，１３ｆを形成する前に形成する掛け目１３ｅ，１３ｇの図示は省略する。本実施例は、伏目ループ１３，１３ｄ，１３ｆをそれぞれ重ねる接合で、３目の重ね目１５と２目の重ね目１６とを交互に形成するので、伏目処理部２０を薄くすることができ、二目の重ね目１６を形成する際に、ニットループ１２ｂを係止するための編針を不要にすることができる。なお、二目の重ね目１６を形成する場合、重ね方を逆にしても良い。ベース編目１１ｂを一旦退避させ、伏目ループ１３ｄを目移しした後にベース編目１１ｂを重ねれば良い。
【００３１】
本実施例と、図１および図２の実施例とで形成される三目の重ね目１５では、重なり部分２０Ａとして示すように、伏目ループ１３ｆがベース編目１１ｂ，１１ｄそれぞれの編目に対し、外側に出てから、ニットループ１２ｂに抑えられる形で、内側に配置される。そのために、伏目ループ１３ｆの一部がベース編地の内側に配置されるようになる。なお、紙面の表面側が編地の内側、裏面側が外側にそれぞれ対応する。
【実施例３】
【００３２】
図５は、本発明のさらに他の実施例として、筒状編地に適用する編地終端部のパイピング処理方法を示す。Ｔ１の工程は、ＦＢおよびＢＢに、終端部のベース編目１１Ｆ，１１Ｂをそれぞれ係止し、ベース編地１１の途中部分にタックした編糸で形成したニットループ１２Ｆ，１２Ｂをそれぞれ係止している状態を示す。本発明に従う編地終端部のパイピング処理を行うために、Ｔ２の工程で、たとえば、ＢＢ側からニットループ１２ＢをＦＢの空き針に目移しして係止させる。ＦＢの右端には、ベース編目１１Ｆを係止する編針と、ニットループ１２Ｂを係止する編針との間に空き針が生じる。右端のベース編目１１Ｂに対して新たに伏目ループを形成し、そのＦＢの空き針を利用すれば、他の実施例と同様な伏目処理を行うことができる。Ｔ３の工程では、ベース編目１１Ｂをホールディングでそれぞれ右側に移動する。
【００３３】
なお、Ｔ１の配置では、ＢＢの伏目処理を完了させてから、ＦＢの伏目処理を行う。その伏目処理で、ＢＢのベース編目１１Ｂを編成する際には、ニットループ１２Ｂを対向する針床に移動し、ＦＢのベース編目１１Ｆを編成する際には、ニットループ１２Ｆを対向する針床に移動して行う。また、各実施例では、手袋ばかりではなく、同様の開口部を有する靴下やパンツ、衿を有するセーターなどで、本発明を適用して、編地終端部のパイピング処理を行うことができる。また、伏目処理を行う前の編地は、平編地（天竺）以外のリブ組織でも、同様に、伏目処理による接合部の膨らみを減少させることができる効果がある。
【符号の説明】
【００３４】
１１  ベース編地
１１ａ，１１ｂ，１１ｄ，１１ｘ  ベース編目
１１ｃ，１２ｃ，１３ｃ  渡り糸
１２ａ，１２ｂ  ニットループ
１３，１３ｄ，１３ｆ  伏目ループ
１５  三目の重ね目
１６  二目の重ね目
【図１】
0005979911.tif 000002
【図２】
0005979911.tif 000003
【図３】
0005979911.tif 000004
【図４】
0005979911.tif 000005
【図５】
0005979911.tif 000006
【図６】
0005979911.tif 000007